(57)【要約】【課題】部品点数を少なくし組立を容易にする。【解決手段】扉２と枠１の左右上下にそれぞれヒンジピン１５〜１８とピン孔２５〜２８を配置するとともに、扉２の下端と枠１の間に一端に楔４１を配したレバー４を設けておき、扉２が閉じられた状態でレバー４の右側の端部を押し込んで楔４１を扉２と枠１の間に進入させて扉２を上位置に上昇させることにより右側のピン孔２５，２６に右側のヒンジピン１５，１６を嵌合させて扉２の左側の開閉を可能にし、同様に扉２が閉じられた状態でレバー４の左側の端部を押し込んで楔４１を扉２と枠１の間から離間させて扉２を重量により下位置に下降させることにより左側のピン孔２７，２８に左側のヒンジピン１７，１８を嵌合させて扉２の右側の開閉を可能にする。【選択図】  図９
2005002586.tif 000002
【特許請求の範囲】
【請求項１】
裏面の左右両端の上下部分にそれぞれ上下方向に２対のピン孔を形成した扉と、
この扉を左右両方向開閉自在に収納するとともに前記扉が閉じた状態で前記扉を上位置と下位置の間の上下動を自在に支持する枠と、
この枠の左右一方の側の上下に前記扉の左右一方の側の１対のピン孔に対向してそれぞれ下向きに設けられて前記扉が上昇した上位置のとき前記ピン孔に嵌合し前記扉が下降した下位置のとき前記ピン孔から離脱するヒンジピンと、
前記枠の左右他方の側の上下に前記扉の左右他方の側の１対のピン孔に対向してそれぞれ上向きに設けられて前記扉が下降した下位置のとき前記ピン孔に嵌合し前記扉が上昇した上位置のとき前記ピン孔から離脱するヒンジピンと、
前記扉の下辺の略中心部分に中央部分が軸支されて左右両端が前後方向に揺動可能なレバーと、
このレバーの左右一方の側の端部に形成されて前記レバーの一方の側の端部が前記扉と前記枠の間に進入したとき前記扉を上位置まで押し上げるとともに前記レバーの一方の側の端部が後退したとき前記扉から離間して前記扉を重量により下位置に下降させる楔と、
を備え、前記扉が閉じられた状態で前記レバーの左右一方の側の端部を押し込んで前記楔を前記扉と前記枠の間に進入させて前記扉を上位置に上昇させることにより左右一方の側のピン孔に左右一方の側のヒンジピンを嵌合させて前記扉の左右他方の側の開閉を可能にし、前記扉が閉じられた状態で前記レバーの左右他方の側の端部を押し込んで前記楔を前記扉と前記枠の間から離間させて前記扉を重量により下位置に下降させることにより左右他方の側のピン孔に左右他方の側のヒンジピンを嵌合させて前記扉の左右一方の側の開閉を可能にしたことを特徴とする扉開閉機構。
【請求項２】
請求項１に記載の扉開閉機構において、
前記レバーの左右両端の手前側にそれぞれ押圧片を設け右側の押圧片を押すと右端が前進しかつ左端が後退し左側の押圧片を押すと左端が前進しかつ右端が後退するようにしたことを特徴とする扉開閉機構。
【請求項３】
請求項１または２に記載の扉開閉機構において、
前記ピン孔を前記扉の裏面に突設したＬ形金具上に形成するとともに、前記ヒンジピンを前記枠上に突設したＬ形金具上に設けたことを特徴とする扉開閉機構。
【発明の詳細な説明】
【０００１】
【発明の属する技術分野】
本発明は、洋服ダンスや収納庫等の比較的軽量な扉を左右両方向に開閉することができる扉開閉機構に関する。
【０００２】
【従来の技術】
従来、扉を右方向にも左方向にも開閉することができる扉開閉機構（特許文献１）が提案されている。これは冷蔵庫の扉を左右両方向から開閉するものであり、扉の左右両端部に扉の中心線に関して対称に設けられた一対のスライドカムと、本体側で各スライドカムに対応する部位に対称に設けられた一対のロックカムと、ロックカムに設けられた軸孔を貫通する状態で取り付けられたヒンジピンとを備える。スライドカムはヒンジピンと水平方向で係脱自在な第１溝カムと、第１溝カムと連続して第１溝カムに案内されたヒンジピンとの係止を扉閉止時に行う第１係止位置から更に扉開成時にスライドカムの回転軸となる第２係止位置まで移動可能な第２溝カムとを有する。更に第２溝カムの外周に設けられた第１カム突起を具備している。ロックカムは第１係止位置で第１カム突起とロック関係になる第２カム突起を具備している。
【０００３】
【特許文献１】
特開平０９−３０３９４２号公報
【０００４】
【発明が解決しようとする課題】
しかしながら、上述した扉開閉機構は構造が複雑であるとともに、部品点数が多いため、組立工数が多くなるという問題があった。そこで本発明は、部品点数が少なくて組立が簡単な扉開閉機構を提案することを目的とした。
【０００５】
【課題を解決するための手段】
上記課題を解決するために、本発明に係る扉開閉機構は、裏面の左右両端の上下部分にそれぞれ上下方向に２対のピン孔を形成した扉と、この扉を左右両方向開閉自在に収納するとともに前記扉が閉じた状態で前記扉を上位置と下位置の間の上下動を自在に支持する枠と、この枠の左右一方の側の上下に前記扉の左右一方の側の１対のピン孔に対向してそれぞれ下向きに設けられて前記扉が上昇した上位置のとき前記ピン孔に嵌合し前記扉が下降した下位置のとき前記ピン孔から離脱するヒンジピンと、前記枠の左右他方の側の上下に前記扉の左右他方の側の１対のピン孔に対向してそれぞれ上向きに設けられて前記扉が下降した下位置のとき前記ピン孔に嵌合し前記扉が上昇した上位置のとき前記ピン孔から離脱するヒンジピンと、前記扉の下辺の略中心部分に中央部分が軸支されて左右両端が前後方向に揺動可能なレバーと、このレバーの左右一方の側の端部に形成されて前記レバーの一方の側の端部が前記扉と前記枠の間に進入したとき前記扉を上位置まで押し上げるとともに前記レバーの一方の側の端部が後退したとき前記扉から離間して前記扉を重量により下位置に下降させる楔とを備え、前記扉が閉じられた状態で前記レバーの左右一方の側の端部を押し込んで前記楔を前記扉と前記枠の間に進入させて前記扉を上位置に上昇させることにより左右一方の側のピン孔に左右一方の側のヒンジピンを嵌合させて前記扉の左右他方の側の開閉を可能にし、前記扉が閉じられた状態で前記レバーの左右他方の側の端部を押し込んで前記楔を前記扉と前記枠の間から離間させて前記扉を重量により下位置に下降させることにより左右他方の側のピン孔に左右他方の側のヒンジピンを嵌合させて前記扉の左右一方の側の開閉を可能にした。ここで、前記レバーの左右両端の手前側にそれぞれ押圧片を設け右側の押圧片を押すと右端が前進しかつ左端が後退し左側の押圧片を押すと左端が前進しかつ右端が後退するようにする。また、前記ピン孔を前記扉の裏面に突設したＬ形金具上に形成するとともに、前記ヒンジピンを前記枠上に突設したＬ形金具上に設けるようにする。
【０００６】
【発明の実施の形態】
以下、図に基づいて本発明の実施形態を説明する。
図１は本発明に係る扉開閉機構の扉が閉じられた状態の正面図であり、図２は図１の横断面図である。これらの図に示されるように、額縁状の枠１に、扉２が左右の上下位置でそれぞれ交互に軸支されている。扉２の下端には、レバー４が軸支されて、そのレバー４の右端の楔４１が、扉２と枠１の間に進入および後退を自在に支持されている。図１の状態は、押圧片４２を押下することにより、楔４１が扉２と枠１の間に進入して、扉２が上方に押し上げられて、扉２は右端を支軸にして左側が開閉可能となる。また、図示の状態から、押圧片４３を押下することにより、楔４１が扉２と枠１の間から抜け出ると、扉２が自重で下方へ移動し、扉２は左端を支軸にして右側が開閉可能となる。
【０００７】
図３は枠１の正面図であり、図４は図３の横断面図である。図示されるように、枠１は外周部が断面コ字形に形成されて、中央部分が四角形に切り抜かれている。枠１のコ字形をした外枠の内側部分の左右上下に、板材をＬ形に折曲したＬ形金具１１〜１４がビスまたは溶接により固定されている。右側のＬ形金具１１，１２の右端部には、下向きのヒンジピン１５，１６が突設されている。同様に、左側のＬ形金具１３，１４の左端部には、上向きのヒンジピン１７，１８が突設されている。これらヒンジピン１５〜１８は枠１の取り付け面から一定高さであるとともに、下向きのヒンジピン１５，１６は扉２の左側が開閉される際の開閉中心軸となり、上向きのヒンジピン１７，１８は扉２の右側が開閉される際の開閉の中心軸となる。
【０００８】
図５は扉２の裏面図であり、図６は図５の横断面図、図７は図５の下面図、図８は図７の左側面図である。図示されるように、扉２は４辺を折曲した箱状に形成され、内側部分の左右上下に、板材をＬ形に折曲したＬ形金具２１〜２４が溶接により固定されている。左側のＬ形金具２１，２２の左端部には、上下方向に貫通されたピン孔２５，２６が形成されている。同様に、右側のＬ形金具２３，２４の右端部には、上下方向に貫通されたピン孔２７，２８が形成されている。これらピン孔２５〜２８は、扉２の本体部から一定高さであるとともに、ピン孔２５，２６に下向きのヒンジピン１５，１６が嵌合して扉２の左側が開閉される際の開閉中心軸となり、ピン孔２７，２８に上向きのヒンジピン１７，１８が嵌合して扉２の右側が開閉される際の開閉の中心軸となる。
【０００９】
扉２の下端中心部分には、支軸３を介してレバー４が回動自在に支持されている。レバー４の一端（図１では右端、図５および図７では左端）には、楔４１が形成されている。レバー４の両端の表面側には、断面コ字形の押圧片４２，４３が突設されている。このレバー４の押圧片４２を押圧すると、レバー４が回動し同時に楔４１が前進して（図７では上方へ移動）、枠１と扉２の下端との間に進入し、扉２を上方に押し上げる。また、押圧片４３を押圧すると、レバー４が回動し反対側の楔４１が後退して（図７では下方へ移動）、枠１と扉２の下端との間から抜け出て、扉２が自重で下方へ移動する。
【００１０】
図９は扉２の右側を支軸にして左側が開閉自在な状態を示す説明図であり、図１０は扉２の左側を支軸にして右側が開閉自在な状態を示す説明図であり、両図とも、扉２を透視して扉２の裏面側を表示している。扉２の右側を支軸にして左側を開閉自在にする場合は、図９に示すように、レバー４の押圧片４２を押圧し、楔４１を前進させて枠１と扉２の下端との間に進入させ、扉２を上方に押し上げる。その結果、ピン孔２５，２６に下向きのヒンジピン１５，１６が嵌合して扉２の開閉中心軸となり、扉２の左側が開閉可能となる。このとき、反対側のピン孔２７，２８は、上向きのヒンジピン１７，１８と離間して互いにフリーとなり、扉２の左側の開閉の支障となることがない。
【００１１】
反対に、扉２の左側を支軸にして右側を開閉自在にする場合は、図１０に示すように、レバー４の押圧片４３を押圧し、レバー４を回動させ同時に楔４１を後退させて枠１と扉２の下端との間から抜き取り、扉２を自重で下方へ移動させる。その結果、ピン孔２７，２８に上向きのヒンジピン１７，１８が嵌合して扉２の開閉中心軸となり、扉２の右側が開閉可能となる。このとき、反対側のピン孔２５，２６は、下向きのヒンジピン１５，１６と離間して互いにフリーとなり、扉２の右側の開閉の支障となることがない。
【００１２】
このように本発明の扉開閉機構は、枠１と扉２の間の左右の上下にそれぞれヒンジピン１５〜１８とピン孔２５〜２８を配置しておいて、扉２を楔４１により上下動させることにより、一方のヒンジピンとピン孔を嵌合させるとともに他方のヒンジピンとピン孔を離間するようにして、扉２の支軸を左右交互に変換可能にしたため、部品点数が少なくまた組立も容易である。なお、実施形態では、枠１側にヒンジピン１５〜１８を配置し、扉２側にピン孔２５〜２８を配置する構成としたが、これを入れ換えて枠１側にピン孔を配置し、扉２側にヒンジピンを配置することも可能である。
【００１３】
【発明の効果】
以上述べたように本発明によれば、扉を枠に対して上下動自在に支持するとともに、左右それぞれの上下に扉の上下動により嵌合および離脱するヒンジピンとピン孔を備えるとともに、扉を枠に対して上下動させるレバーおよび楔を設けたことで、前記扉が閉じられた状態で前記レバーの左右いずれか一方に押し込むと、扉が上下動してヒンジ部が左右いずれかに切り換えられ、扉の両方向の開閉が可能となる。これらの構成は簡単であり、部品点数が少ないため組立が簡単な扉開閉機構が得られる。この扉開閉機構を、洗面台の鏡入れ部分や、洋服ダンスの扉、収納庫の扉等に用いることで左右両方向に開閉できる使い勝手の良い扉が得られるようになる。
【図面の簡単な説明】
【図１】本発明に係る扉開閉機構の扉が閉じられた状態の正面図である。
【図２】図１の横断面図である。
【図３】枠の正面図である。
【図４】図３の横断面図である。
【図５】扉の裏面図である。
【図６】図５の横断面図である。
【図７】図５の下面図である。
【図８】図７の左側面図である。
【図９】扉の右側を支軸にして左側が開閉自在な状態を示す説明図である。
【図１０】扉の左側を支軸にして右側が開閉自在な状態を示す説明図である。
【符号の説明】
１  枠
２  扉
３  支軸
４  レバー
１１〜１４  Ｌ形金具
１５〜１８  ヒンジピン
２１〜２４  Ｌ形金具
２５〜２８  ピン孔
４１  楔
４２，４３  押圧片
【図１】
2005002586.tif 000003
【図２】
2005002586.tif 000004
【図３】
2005002586.tif 000005
【図４】
2005002586.tif 000006
【図５】
2005002586.tif 000007
【図６】
2005002586.tif 000008
【図７】
2005002586.tif 000009
【図８】
2005002586.tif 000010
【図９】
2005002586.tif 000011
【図１０】
2005002586.tif 000012